【事件の表示】
　特願２０１５−　５６６２２「遊技機」拒絶査定不服審判事件〔平成２８年１０月　６日出願公開、特開２０１６−１７４６９２〕について、次のとおり審決する。
【結　論】
　本件審判の請求は、成り立たない。
【理　由】
第１　手続の経緯
　本願は、平成２７年３月１９日の出願であって、平成２８年２月１６日付けで拒絶の理由が通知され、平成２８年４月１９日に意見書及び手続補正書が提出されたところ、平成２８年９月９日付けで拒絶査定がなされ、それに対して、平成２８年１２月８日に拒絶査定不服審判の請求がなされると同時に明細書及び特許請求の範囲に係る手続補正がなされたものである。
第２　平成２８年１２月８日付けの手続補正についての補正却下の決定
［補正却下の決定の結論］
　平成２８年１２月８日付けの手続補正（以下「本件補正」という。）を却下する。
［理由］
１　本件補正の概要
　本件補正は、特許請求の範囲を補正する内容を含んでおり、本件補正により、特許請求の範囲の請求項１は、
「【請求項１】
　所定の音を出力することが可能な音出力部と、遊技の状態に応じて前記音出力部から演出音を出力させる演出音出力手段と、を備えた遊技機において、
　所定の操作部の操作に基づいて、前記音出力部から出力される前記演出音の音量値を所定の音量値に設定する音量値設定手段と、
　所定の選択肢を所定の選択操作によって選択させる選択画像を所定の表示部に表示させる選択画像表示手段と、
　報知を行うべき所定の事象が発生したことに基づいて、前記所定の事象が発生したことを所定期間に亘って報知する事象報知手段と、を備え、
　前記選択画像表示手段は、前記音量値の設定に関する音量の項目を前記所定の選択肢として含む前記選択画像を表示させることが可能であるが、前記事象報知手段による報知中は前記選択画像を表示させることが規制され、
　前記音量値設定手段は、前記選択画像の表示中に前記音量の項目を選択する選択操作が行われたことに基づいて、前記音量値を設定可能となることを特徴とする遊技機。」
から
「【請求項１】
　所定の音を出力することが可能な音出力部と、遊技の状態に応じて前記音出力部から演出音を出力させる演出音出力手段と、を備えた遊技機において、
　所定の操作部の操作に基づいて、前記音出力部から出力される前記演出音の音量値を所定の音量値に設定する音量値設定手段と、
　所定の選択肢を所定の選択操作によって選択させる選択画像を所定の表示部に表示させる選択画像表示手段と、
　報知を行うべき所定の事象が発生したことに基づいて、前記所定の事象が発生したことを所定期間に亘って報知する事象報知手段と、を備え、
　
前記所定の操作部は、第１操作部と、第２操作部とを含み、
　
前記第１操作部には、前記第２操作部の操作による前記音量値の設定が許容される第１状態と、前記第２操作部の操作による前記音量値の設定が規制される第２状態とがあり、
　前記選択画像表示手段は、
前記第１操作部が前記第１状態になっているときは
第１
前記第１操作部が前記第２状態になっているときは前記音量の項目が前記所定の選択肢とならない第２選択画像を表示させ、
第１
及び前記第２選択画像
　前記音量値設定手段は、前記
第１
に補正された（下線部は補正箇所を示す。）。
　なお、補正後の請求項１における「前記２操作部」は「前記
第
２　補正の適否
　本件補正のうち、「前記所定の操作部は、第１操作部と、第２操作部とを含み、前記第１操作部には、前記第２操作部の操作による前記音量値の設定が許容される第１状態と、前記第２操作部の操作による前記音量値の設定が規制される第２状態とがあり、」との事項を追加する補正は、補正前の請求項１に記載した発明を特定するために必要な事項である「所定の操作部」について、「第１操作部と、第２操作部とを含」む点を限定し、さらに、「第１操作部」の状態として、「前記第２操作部の操作による前記音量値の設定が許容される第１状態と、前記第２操作部の操作による前記音量値の設定が規制される第２状態と」がある点を限定するものである。
　本件補正のうち、「前記選択画像表示手段は、前記音量値の設定に関する音量の項目を前記所定の選択肢として含む前記選択画像を表示させることが可能であるが、前記事象報知手段による報知中は前記選択画像を表示させることが規制され、」を「前記選択画像表示手段は、前記第１操作部が前記第１状態になっているときは前記音量値の設定に関する音量の項目を前記所定の選択肢として含む第１選択画像を表示させることが可能であるが、前記第１操作部が前記第２状態になっているときは前記音量の項目が前記所定の選択肢とならない第２選択画像を表示させ、前記事象報知手段による報知中は前記第１選択画像及び前記第２選択画像を表示させることが規制され、」とする補正は、補正前の請求項１に記載した発明を特定するために必要な事項である「選択画像」について、「前記第１操作部が前記第１状態になっているとき」の「第１選択画像」と、「前記第１操作部が前記第２状態になっているとき」の「前記音量の項目が前記所定の選択肢とならない第２選択画像」とがある点を限定し、さらに、補正前の請求項１に記載した発明を特定するために必要な事項である「前記事象報知手段による報知中は前記選択画像を表示させることが規制され」について、「表示させることが規制され」る「選択画像」が「前記第１選択画像及び前記第２選択画像」であることを限定するものである。
　また、補正前の請求項１に記載された発明と補正後の請求項１に記載される発明の産業上の利用分野及び解決しようとする課題は同一である。
　したがって、本件補正は、特許法第１７条の２第５項第２号の特許請求の範囲の減縮を目的とするものに該当する。
　そして、本件補正は、願書に最初に添付した明細書の段落【００２０】、【００８７】、【０８８６】、【０８８８】、【１７６０】、【１７９４】、【１８０２】及び図７１、１３７等に基づくものであり、新規事項を追加するものではない。
　  
３　独立特許要件について
　本件補正後の請求項１に記載された発明（以下「本願補正発明」という。）が特許出願の際独立して特許を受けることができるものであるか（特許法第１７条の２第６項において準用する同法第１２６条第７項の規定に適合するか）について以下に検討する。
（１）本願補正発明
　本願補正発明は、上記１の本件補正の概要において示したとおりのものである（Ａ〜Ｈは、分説するために当審にて付した。また、上記１の本件補正の概要において示したとおり、「前記２操作部」は「前記
第
「【請求項１】
Ａ　所定の音を出力することが可能な音出力部と、遊技の状態に応じて前記音出力部から演出音を出力させる演出音出力手段と、を備えた遊技機において、
Ｂ　所定の操作部の操作に基づいて、前記音出力部から出力される前記演出音の音量値を所定の音量値に設定する音量値設定手段と、
Ｃ　所定の選択肢を所定の選択操作によって選択させる選択画像を所定の表示部に表示させる選択画像表示手段と、
Ｄ　報知を行うべき所定の事象が発生したことに基づいて、前記所定の事象が発生したことを所定期間に亘って報知する事象報知手段と、を備え、
Ｅ　前記所定の操作部は、第１操作部と、第２操作部とを含み、
Ｆ　前記第１操作部には、前記第２操作部の操作による前記音量値の設定が許容される第１状態と、前記第２操作部の操作による前記音量値の設定が規制される第２状態とがあり、
Ｇ　前記選択画像表示手段は、前記第１操作部が前記第１状態になっているときは前記音量値の設定に関する音量の項目を前記所定の選択肢として含む第１選択画像を表示させることが可能であるが、前記第１操作部が前記第２状態になっているときは前記音量の項目が前記所定の選択肢とならない第２選択画像を表示させ、前記事象報知手段による報知中は前記第１選択画像及び前記第２選択画像を表示させることが規制され、
Ｈ　前記音量値設定手段は、前記第１選択画像の表示中に前記音量の項目を選択する選択操作が行われたことに基づいて、前記音量値を設定可能となることを特徴とする遊技機。」
（２）刊行物１に記載された発明
　原査定の拒絶の理由に引用文献１として引用された特開２０１５−２９９０６号公報（以下「刊行物１」という。）には、図面とともに以下の事項が記載されている（下線は当審で付した。以下同じ。）。  
（１−ａ）　「【００２０】
　また、第１副基板ケース１６２の左上には、第１出力設定スイッチ１９０を配設している。詳細は後述するが、この第１出力設定スイッチ１９０は、
パチンコ機１００のスピーカ１２０から出力する音（例えば、ＢＧＭ、効果音、エラー音等）
（１−ｂ）　「【００７５】
　＜副制御部＞
　次に、パチンコ機１００の第１副制御部４００について説明する。
第１副制御部４００は、主に主制御部３００が送信したコマンド等に基づいて第１副制御部４００の全体を制御する基本回路４０２を備えており、
【００７６】
　また、
基本回路４０２には、スピーカ１２０（およびアンプ）の制御を行うための音制御回路４３１と、
第２出力設定スイッチ１９４の押下操作を検出するスイッチセンサ４２６と、
第１出力設定スイッチ１９０と、ＣＰＵ４０４からの信号に基づいてＲＯＭ４０６に記憶された画像データ等を読み出してＶＲＡＭ４３６のワークエリアを使用して表示画像を生成して装飾図柄表示装置２０８に画像を表示するＶＤＰ４３４（ビデオ・ディスプレイ・プロセッサー）と、を接続している。
（１−ｃ）　「【０１７７】
　＜演出実行タイミングデータ＞
　図１４は、第１副制御部４００のＲＯＭ４０６に予め記憶される演出実行タイミングデータの一例を示している。
第１副制御部４００は、後述する演出制御メインループ処理で設定された演出実行タイミングデータに基づいて各報知手段の制御を行う。
【０１７８】
　この演出実行タイミングデータは、主制御部３００からのコマンドに含まれる特図変動時間が１０秒である場合に、一義的にあるいは所定の乱数抽選に基づいて選択されるノーマルリーチＡ用の演出実行タイミングデータである。
【０１７９】
　
演出実行タイミングデータは、「時間（ｍｓ）」、「ランプデータ」および「サウンドデータ内容」の３項目で構成されている。
サウンドデータ内容には「変動開始」が割り当てられている。
【０１８０】
　ここで、無音や無点灯を設定する場合、演出実行タイミングデータ上でランプデータまたはサウンドデータ内容を非設定としてもよいし、無点灯のランプデータまたは無音のサウンドデータ内容を設定してもよい。時間１３３．２ｍｓに対応して、ランプデータには「↑」が割り当てられ、サウンドデータ内容には「チャンス告知」が割り当てられている。
【０１８１】
　時間４９９５ｍｓに対応して、ランプデータには「−」が割り当てられ、サウンドデータ内容には「−」が割り当てられている。時間５０２８．３ｍｓに対応して、ランプデータには「ノーマルリーチＡ」が割り当てられ、
サウンドデータ内容には「リーチ報知」が割り当てられている。
（１−ｄ）　「【０２０２】
　
音量（音圧）は、第１出力設定スイッチ１９０の操作によって管理者設定値（目盛り０〜Ｆ）を変更するか、設定値調整モード（例えば、図３２（ｆ）に示す音量調整画面）において、第２設定出力スイッチ１９４の操作によって遊技者設定値（目盛り１〜１５）を変更することにより調整可能である
【０２０３】
　本例では、同図（ｂ）に示すように、
第１出力設定スイッチ１９０（または第２出力設定スイッチ１９４）による設定のうち「５」〜「Ｆ」は通常営業用（通常モード）に使用され、「４」は省電力モードＡ用に使用され、「３」は省電力モードＢ用に使用され、
【０２０４】
　設定が「Ｆ」であるときには、音圧の初期値は１００ｄＢに設定され、音量設定の初期位置は１５に設定される。すなわち、音量調整画面に遷移したとき、音量のユーザー設定値はデフォルトとして目盛り１５（音圧１００ｄＢ）に設定される。なお、同図では、各設定における目盛り（音圧）のデフォルト値を太い枠線で囲っている。
設定「Ｆ」では、音量調整画面の目盛り１〜１５のそれぞれに対応して、音圧は８６ｄＢ、８７ｄＢ、８８ｄＢ、８９ｄＢ、９０ｄＢ、９１ｄＢ、９２ｄＢ、９３ｄＢ、９４ｄＢ、９５ｄＢ、９６ｄＢ、９７ｄＢ、９８ｄＢ、９９ｄＢ、および１００ｄＢの各レベルに調整可能である。
（１−ｅ）　「【０２１８】
　以上のように、
設定が通常営業用の「５」〜「Ｆ」の範囲である場合、
調整可能な音量範囲
【０２１９】
　設定が「４」であるときには、動作モードが省電力モードＡに設定されるとともに、音圧の初期値は、設定「５」〜「Ｆ」のときに設定可能な最低音圧レベル（すなわち、遊技者が設定可能な最低音圧レベル）６５ｄＢよりもさらに低い６０ｄＢに設定される。
設定「４」のときには、遊技者による音量調整が不可能であり、
【０２２０】
　また、設定「４」のとき、輝度設定の初期値は、設定「５」〜「Ｆ」のときに設定可能な最低輝度（すなわち、遊技者が設定可能な最低輝度）である「暗（デューティ比４０％）」よりもさらに低い「極暗（デューティ比１０％）」に設定される。設定「４」のときには、遊技者による輝度調整が不可能であり、輝度は「極暗（デューティ比１０％）」に固定される。
【０２２１】
　設定が「３」であるときには、動作モードが省電力モードＢに設定されるとともに、音圧の初期値は、設定「４」のときの音圧６０ｄＢよりもさらに低い０ｄＢ（消音）に設定される。
設定「３」のときにも、遊技者による音量調整が不可能であり、
（１−ｆ）　「【０２８５】
　＜音量調整画面と輝度調整画面の例＞
　次に、音量調整画面と輝度調整画面の一例について説明する。
図３２
・・・
【０２８８】
　続いて、
第１副制御部４００は、第２出力設定スイッチ１９４の操作を受付けたことを条件に、設定値調整モードに移行するとともに、同図（ｄ）に示すようなメニュー画面を表示する。本例では、メニュー表示として、音量調整と輝度調整の選択メニューを表示するとともに、第２出力設定スイッチ１９４の左ボタン１９４ｂと右ボタン１９４ｃの操作に応じて、選択メニューのいずれか一方を強調表示することで仮選択の状態にする。
【０２８９】
　続いて、
第１副制御部４００は、第２出力設定スイッチ１９４の決定ボタン１９４ａの操作を受付けた場合に、仮選択されている選択メニューに対応する画面を表示させる。
【０２９０】
　なお、
設定画面（メニュー画面、音量調整画面、輝度調整画面）
（１−ｇ）　「【０２９４】
　続いて、
第１副制御部４００は、
このメニュー画面の表示中に音量調整画面の選択操作を受付けたことから、同図（ｃ）に示す音量調整画面を表示している。
【０２９５】
　続いて、
第１副制御部４００は、同図（ｃ）に示す音量調整画面の表示中に第２出力設定スイッチ１９４の右ボタン１９４ｃの押下操作を２回受付けたことから、遊技者設定値を「１１」から「１３」に変更するとともに、音量（ボリューム）の設定値を「１１」に対応する９６ｄＢから、「１３」に対応する９８ｄＢに変更している。
（１−ｈ）　「【０３４４】
　＜その他の画面表示＞
　次に、
図４４
・・・
【０３４６】
また、
同図（ｃ）は、音量調整画面を構成する画像の少なくとも一部にエラー表示を重ねて表示する例である。
磁気検出、電波検出などの、エラーを検知した場合は設定画面を非表示にしてもよい。
（１−ｉ）上記摘記事項（１−ｂ）より、「第１副制御部４００は」「基本回路４０２を備えており」（段落【００７５】）、「基本回路４０２には、スピーカ１２０（およびアンプ）の制御を行うための音制御回路４３１」「を接続している」（段落【００７６】）から、
第１副制御部４００は、スピーカ１２０の制御を行うための音制御回路４３１が接続された基本回路４０２を備え
　また、上記摘記事項（１−ｃ）より、「第１副制御部４００は、」「演出実行タイミングデータに基づいて各報知手段の制御を行う」（段落【０１７７】）ものであり、「演出実行タイミングデータは、「時間（ｍｓ）」、「ランプデータ」および「サウンドデータ内容」の３項目で構成され」（段落【０１７９】）、また、「サウンドデータ内容には「変動開始」が割り当てられている」（段落【０１７９】）、あるいは、「サウンドデータ内容には「リーチ報知」が割り当てられている」（段落【０１８１】）から、
第１副制御部４００は、「変動開始」や「リーチ報知」が割り当てられたサウンドデータ内容を含む演出実行タイミングデータに基づいて各報知手段の制御を行う
（１−ｊ）上記摘記事項（１−ｂ）より、「第１副制御部４００は」「基本回路４０２を備えており」（段落【００７５】）、「基本回路４０２には、」「第２出力設定スイッチ１９４の押下操作を検出するスイッチセンサ４２６と、」「第１出力設定スイッチ１９０と、」「を接続している。」（段落【００７６】）から、
第１副制御部４００の基本回路４０２には、第２出力設定スイッチ１９４の押下操作を検出するスイッチセンサ４２６と、第１出力設定スイッチ１９０とを接続している
（１−ｋ）上記摘記事項（１−ｆ）の段落【０２８８】には、「第１副制御部４００は、第２出力設定スイッチ１９４の操作を受付けたことを条件に、・・・同図（ｄ）に示すようなメニュー画面を表示する。本例では、メニュー表示として、音量調整と輝度調整の選択メニューを表示する」との記載があり、段落【０２８９】には、「第１副制御部４００は、第２出力設定スイッチ１９４の決定ボタン１９４ａの操作を受付けた場合に、仮選択されている選択メニューに対応する画面を表示させる。」との記載があり、さらに、図３２（ａ）、（ｄ）には、メニュー画面が装飾図柄表示装置２０８に表示されることが図示されているから、刊行物１には、
第１副制御部４００は、第２出力設定スイッチ１９４の操作を受付けたことを条件に、音量調整と輝度調整の選択メニューを表示するメニュー画面を装飾図柄表示装置２０８に表示し、第２出力設定スイッチ１９４の操作に応じて、選択メニューに対応する画面を表示させる
（１−ｌ）上記摘記事項（１−ｂ）より、「第１副制御部４００は」「基本回路４０２を備えており」（段落【００７５】）、「基本回路４０２には、」「表示画像を生成して装飾図柄表示装置２０８に画像を表示するＶＤＰ４３４（ビデオ・ディスプレイ・プロセッサー）と、を接続している」（段落【００７６】）から、
第１副制御部４００の基本回路４０２には、表示画像を生成し、装飾図柄表示装置２０８に画像を表示するＶＤＰ４３４が接続されている
（１−ｍ）図４４（ｃ）には、装飾図柄表示装置２０８に音量調整画面を表示することが図示されている。さらに、上記摘記事項（１−ｈ）の段落【０３４６】には「同図（ｃ）は、音量調整画面を構成する画像の少なくとも一部にエラー表示を重ねて表示する例である。」と記載されているから、刊行物１には、
装飾図柄表示装置２０８の音量調整画面を構成する画像の少なくとも一部にエラー表示を重ねて表示することができる
（１−ｎ）上記摘記事項（１−ｄ）の段落【０２０２】より、「音量（音圧）は」、「音量調整画面」において、「第２設定出力スイッチ１９４の操作によって」「調整可能」であるから、段落【０２０４】において、「設定「Ｆ」では、音量調整画面の目盛り１〜１５のそれぞれに対応して、音圧は８６ｄＢ、８７ｄＢ、８８ｄＢ、８９ｄＢ、９０ｄＢ、９１ｄＢ、９２ｄＢ、９３ｄＢ、９４ｄＢ、９５ｄＢ、９６ｄＢ、９７ｄＢ、９８ｄＢ、９９ｄＢ、および１００ｄＢの各レベルに調整可能」とする際の、「音量調整画面」における音量の調整は、「第２設定出力スイッチ１９４」の操作によって行うものといえる。また、上記摘記事項（１−ｅ）の段落【０２１８】より、「設定が通常営業用の「５」〜「Ｆ」の範囲である場合、」「調整可能な音量範囲」を有しているから、第１出力設定スイッチ１９０による設定が通常営業用の「５」〜「Ｆ」であるとき、音量調整画面において第２設定出力スイッチの操作によって音量が調整可能であるといえる。
　さらに、上記摘記事項（１−ｅ）の段落【０２１９】の「設定「４」のときには、遊技者による音量調整が不可能であり」、段落【０２２１】の「設定「３」のときにも、遊技者による音量調整が不可能であり」との記載より、遊技者による音量調整が不可能である第１出力設定スイッチ１９０による設定が「４」、「３」であるときがあるといえる。
　そうすると、刊行物１には、
音量調整画面において第２設定出力スイッチの操作によって音量が調整可能である第１出力設定スイッチ１９０による設定が通常営業用の「５」〜「Ｆ」であるときと、遊技者による音量調整が不可能である第１出力設定スイッチ１９０による設定が「４」、「３」であるときとがある
　また、第１出力設定スイッチ１９０による設定が通常営業用の「５」〜「Ｆ」であるときに音量を調整するための「音量調整画面」は、上記摘記事項（１−ｆ）の段落【０２８８】、【０２８９】より、「第１副制御部４００」が、「第２出力設定スイッチ１９４の操作を受付けたことを条件に、」「音量調整と輝度調整の選択メニューを表示する」「メニュー画面を表示」し、「メニュー画面において音量調整が仮選択されている状態で決定ボタン１９４ａの操作を受付けた場合に」表示するものであるから、
第１副制御部４００は、第１出力設定スイッチ１９０による設定が通常営業用の「５」〜「Ｆ」であるときには、第２出力設定スイッチ１９４の操作を受付けたことを条件に、音量調整と輝度調整の選択メニューを表示するメニュー画面を表示する
　上記（１−ａ）〜（１−ｈ）の記載事項及び（１−ｉ）〜（１−ｎ）の認定事項を総合すると、刊行物１には、次の発明（以下「刊行物１発明」という。）が記載されていると認められる。（ａ〜ｈは、本願発明のＡ〜Ｈに対応させて付した。）
「ａ　ＢＧＭ、効果音、エラー音等の音を出力するスピーカ１２０と、スピーカ１２０の制御を行うための音制御回路４３１が接続された基本回路４０２を備え、「変動開始」や「リーチ報知」が割り当てられたサウンドデータ内容を含む演出実行タイミングデータに基づいて各報知手段の制御を行う第１副制御部４００と、を備えたパチンコ機１００において、（段落【００２０】、認定事項（１−ｉ））
ｂ、ｅ　第１副制御部４００の基本回路４０２には、第２出力設定スイッチ１９４の押下操作を検出するスイッチセンサ４２６と、第１出力設定スイッチ１９０とを接続し、音量は、第１出力設定スイッチ１９０の操作によって管理者設定値を変更するか、設定値調整モードにおいて、第２設定出力スイッチ１９４の操作によって遊技者設定値を変更することにより調整可能であり、（段落【０２０２】、認定事項（１−ｊ））
ｃ　第１副制御部４００は、第２出力設定スイッチ１９４の操作を受付けたことを条件に、音量調整と輝度調整の選択メニューを表示するメニュー画面を装飾図柄表示装置２０８に表示し、第２出力設定スイッチ１９４の操作に応じて、選択メニューに対応する画面を表示させ、（認定事項（１−ｋ））
ｄ　第１副制御部４００の基本回路４０２には、表示画像を生成し、装飾図柄表示装置２０８に画像を表示するＶＤＰ４３４が接続され、装飾図柄表示装置２０８の音量調整画面を構成する画像の少なくとも一部にエラー表示を重ねて表示することができ、（認定事項（１−ｌ）、（１−ｍ））
ｆ　音量調整画面において第２設定出力スイッチの操作によって音量が調整可能である第１出力設定スイッチ１９０による設定が通常営業用の「５」〜「Ｆ」であるときと、遊技者による音量調整が不可能である第１出力設定スイッチ１９０による設定が「４」、「３」であるときとがあり、（認定事項（１−ｎ））
ｇ　第１副制御部４００は、第１出力設定スイッチ１９０による設定が通常営業用の「５」〜「Ｆ」であるときには、第２出力設定スイッチ１９４の操作を受付けたことを条件に、音量調整と輝度調整の選択メニューを表示するメニュー画面を表示し、磁気検出、電波検出などの、エラーを検知した場合は設定画面（メニュー画面、音量調整画面、輝度調整画面）を非表示としてもよく、（段落【０２９０】、【０３４６】、認定事項（１−ｎ））
ｈ　第１副制御部４００は、メニュー画面の表示中に音量調整画面の選択操作を受付けると音量調整画面を表示し、音量調整画面の表示中に第２出力設定スイッチ１９４の右ボタン１９４ｃの押下操作を２回受付けたことから、音量の設定値を９６ｄＢから９８ｄＢに変更するパチンコ機１００。（段落【０２９４】、【０２９５】）」
（３）対比
本願補正発明と刊行物１発明とを対比する（下記の（ａ）〜（ｈ）は、刊行物１発明の構成に対応している。）。
（ａ）刊行物１発明における「ＢＧＭ、効果音、エラー音等の音」及び「スピーカ１２０」は、それぞれ、本願補正発明における「所定の音」及び「音出力部」に相当する。そうすると、刊行物１発明における「ＢＧＭ、効果音、エラー音等の音を出力するスピーカ１２０」は、本願補正発明における「所定の音を出力することが可能な音出力部」に相当する。
　刊行物１発明における「第１副制御部４００」は、「スピーカ１２０の制御を行うための音制御回路４３１が接続された基本回路４０２を備え」ているから、本願補正発明における「音出力部から演出音を出力させる演出音出力手段」としての機能を有しているといえる。また、刊行物１発明における「第１副制御部４００」は、「「変動開始」や「リーチ報知」が割り当てられたサウンドデータ内容を含む演出実行タイミングデータに基づいて各報知手段の制御を行う」から、「変動開始」や「リーチ」等の遊技の状態に応じて「各報知手段の制御」を行うものといえ、さらに、「各報知手段」が「スピーカ１２０」を含むことは当業者にとって自明である。そうすると、刊行物１発明における「「変動開始」や「リーチ報知」が割り当てられたサウンドデータ内容を含む演出実行タイミングデータに基づいて各報知手段の制御を行う第１副制御部４００」は、本願補正発明における「遊技の状態に応じて前記音出力部から演出音を出力させる演出音出力手段」としての機能を有しているといえる。
　また、刊行物１発明における「パチンコ機１００」は、本願補正発明における「遊技機」に相当する。
（ｂ）刊行物１発明における「第１出力設定スイッチ１９０」及び「第２設定出力スイッチ１９４」は、本願補正発明における「所定の操作部」に相当する。また、刊行物１発明における「音量」は「スピーカ１２０」が出力する「ＢＧＭ、効果音、エラー音等の音」の音量であることは当業者にとって自明であるから、刊行物１発明において、「音量」を、「第１出力設定スイッチ１９０の操作によって管理者設定値を変更するか、設定値調整モードにおいて、第２設定出力スイッチ１９４の操作によって遊技者設定値を変更することにより調整」することは、本願補正発明における、「所定の操作部の操作に基づいて、前記音出力部から出力される前記演出音の音量値を所定の音量値に設定する」ことに相当する。
　また、刊行物１発明においては、「第２出力設定スイッチ１９４の押下操作を検出するスイッチセンサ４２６と、第１出力設定スイッチ１９０と」は、「第１副制御部４００の基本回路４０２」に接続されており、さらに、構成ｈより、「第１副制御部４００」が、「メニュー画面の表示中に音量調整画面の選択操作を受付けると音量調整画面を表示し、音量調整画面の表示中に第２出力設定スイッチ１９４の右ボタン１９４ｃの押下操作を２回受付けたことから、音量の設定値を９６ｄＢから９８ｄＢに変更」するものであるから、刊行物１発明において、「音量は、第１出力設定スイッチ１９０の操作によって管理者設定値を変更するか、設定値調整モードにおいて、第２設定出力スイッチ１９４の操作によって遊技者設定値を変更することにより調整可能」としているのは「第１副制御部４００」であることは、当業者にとって自明である。
　そうすると、刊行物１発明における「第１副制御部４００」は、「音量は、第１出力設定スイッチ１９０の操作によって管理者設定値を変更するか、設定値調整モードにおいて、第２設定出力スイッチ１９４の操作によって遊技者設定値を変更することにより調整可能」とするものであるから、本願補正発明における「所定の操作部の操作に基づいて、前記音出力部から出力される前記演出音の音量値を所定の音量値に設定する音量値設定手段」としての機能を有しているといえる。
（ｃ）刊行物１発明における、「装飾図柄表示装置２０８」、「音量調整と輝度調整の選択メニュー」、及び「第２出力設定スイッチ１９４の操作」は、それぞれ、本願補正発明における、「所定の表示部」、「所定の選択肢」、「所定の選択操作」に相当する。また、刊行物１発明における「メニュー画面」は、「音量調整と輝度調整の選択メニューを表示」し、「第２出力設定スイッチ１９４の操作に応じて、選択メニューに対応する画面を表示させ」るものであるから、本願発明の「所定の選択肢を所定の選択操作によって選択させる選択画像」に相当する。
　そうすると、刊行物１発明における「第２出力設定スイッチ１９４の操作を受付けたことを条件に、音量調整と輝度調整の選択メニューを表示するメニュー画面を装飾図柄表示装置２０８に表示し、第２出力設定スイッチ１９４の操作に応じて、選択メニューに対応する画面を表示させ」る「第１副制御部４００」は、本願補正発明における「所定の選択肢を所定の選択操作によって選択させる選択画像を所定の表示部に表示させる選択画像表示手段」としての機能を有しているといえる。
（ｄ）刊行物１発明における「エラー」は、本願補正発明における「報知を行うべき所定の事象」に相当する。また、刊行物１発明において、「エラー表示を」「表示する」ことは、本願補正発明における「報知を行うべき所定の事象が発生したことに基づいて、前記所定の事象が発生したことを」「報知する」ことに相当し、さらに、「エラー表示」を表示する際に、「表示」が所定期間に亘ってされることは、当業者にとって自明である。
　また、刊行物１発明において、「第１副制御部４００の基本回路４０２には、表示画像を生成し、装飾図柄表示装置２０８に画像を表示するＶＤＰ４３４が接続され」ているから、「第１副制御部４００」は「装飾図柄表示装置２０８に画像を表示する」機能を有しており、さらに、「エラー表示」は「装飾図柄表示装置２０８」に表示されるものであるから、「第１副制御部４００」が「エラー表示」を「表示する」機能を有しているといえる。
　そうすると、刊行物１発明における「第１副制御部４００」は、本願補正発明における「報知を行うべき所定の事象が発生したことに基づいて、前記所定の事象が発生したことを所定期間に亘って報知する事象報知手段」としての機能を有しているといえる。
（ｅ）刊行物１発明における「第１出力設定スイッチ１９０」及び「第２設定出力スイッチ１９４」は、それぞれ、本願補正発明における「第１操作部」及び「第２操作部」に相当する。
（ｆ）刊行物１発明において、「第１出力設定スイッチ１９０による設定が通常営業用の「５」〜「Ｆ」」となっている状態は、「音量調整画面において第２設定出力スイッチの操作によって音量が調整可能」な状態であるから、本願補正発明における「前記第２操作部の操作による前記音量値の設定が許容される第１状態」に相当し、刊行物１発明において、「第１出力設定スイッチ１９０による設定が「４」、「３」」となっている状態は、「遊技者による音量調整が不可能である」状態であるから、本願補正発明における「前記音量値の設定が規制される第２状態」に相当する。
　そうすると、刊行物１発明における、「音量調整画面において第２設定出力スイッチの操作によって音量が調整可能である第１出力設定スイッチ１９０による設定が通常営業用の「５」〜「Ｆ」であるときと、遊技者による音量調整が不可能である第１出力設定スイッチ１９０による設定が「４」、「３」であるときとが」あることは、本願補正発明における「前記第１操作部には、前記第２操作部の操作による前記音量値の設定が許容される第１状態と、前記第２操作部の操作による前記音量値の設定が規制される第２状態とが」あることに相当する。
（ｇ）刊行物１発明における「音量調整」「の選択メニュー」は、本願補正発明における「前記音量値の設定に関する音量の項目」に相当する。そして、刊行物１発明における、「メニュー画面」は、「音量調整と輝度調整の選択メニューを表示」するものであるから、本願補正発明における「前記音量値の設定に関する音量の項目を前記所定の選択肢として含む第１選択画像」に相当する。また、「第１副制御部４００は、第１出力設定スイッチ１９０による設定が通常営業用の「５」〜「Ｆ」であるときには、第２出力設定スイッチ１９４の操作を受付けたことを条件に、音量調整と輝度調整の選択メニューを表示するメニュー画面を表示」するものであるから、「第１副制御部４００」は、「第１出力設定スイッチ１９０による設定が通常営業用の「５」〜「Ｆ」であるとき」には、「メニュー画面」を表示させることが可能であるといえる。
　また、構成ｄより、刊行物１発明においては「装飾図柄表示装置２０８の音量調整画面を構成する画像の少なくとも一部にエラー表示を重ねて表示」している。そして、刊行物１発明は、「磁気検出、電波検出などの、エラーを検知した場合は設定画面（メニュー画面、音量調整画面、輝度調整画面）を非表示と」するものであるところ、「磁気検出、電波検出などの、エラーを検知した場合」に「エラー表示」を「表示する」ことは、当業者にとって自明であるから、「磁気検出、電波検出などの、」「エラー表示」を「表示」している場合においても「メニュー画面」を「非表示」としているといえる。よって、刊行物１発明において、「磁気検出、電波検出などの、」「エラー表示」を「表示」しているとき、及び「メニュー画面」を「非表示」とすることは、本願補正発明における、「事象報知手段による報知中」、及び「第１選択画像」「を表示させることが規制され」ていることに相当する。
　そうすると、刊行物１発明は、本願補正発明と、「前記選択画像表示手段は、前記第１操作部が前記第１状態になっているときは前記音量値の設定に関する音量の項目を前記所定の選択肢として含む第１選択画像を表示させることが可能」であり、「前記事象報知手段による報知中は前記第１選択画像」「を表示させることが規制され」ている点で共通しているといえる。
（ｈ）刊行物１発明における「メニュー画面の表示中に音量調整画面の選択操作を受付ける」ことは、本願補正発明における「前記第１選択画像の表示中に前記音量の項目を選択する選択操作が行われたこと」に相当する。また、刊行物１発明においては、「メニュー画面の表示中に音量調整画面の選択操作を受付けると」、「音量調整画面」が表示され、「音量調整画面の表示中に第２出力設定スイッチ１９４の右ボタン１９４ｃの押下操作を２回受付けたことから、音量の設定値を９６ｄＢから９８ｄＢに変更する」から、「メニュー画面の表示中に音量調整画面の選択操作を受付けると」、本願補正発明と同様に「前記音量値を設定可能となる」といえる。
　そうすると、刊行物１発明における「第１副制御部４００は、メニュー画面の表示中に音量調整画面の選択操作を受付けると音量調整画面を表示し、音量調整画面の表示中に第２出力設定スイッチ１９４の右ボタン１９４ｃの押下操作を２回受付けたことから、音量の設定値を９６ｄＢから９８ｄＢに変更する」ことは、本願補正発明における「前記音量値設定手段は、前記第１選択画像の表示中に前記音量の項目を選択する選択操作が行われたことに基づいて、前記音量値を設定可能となる」ことに相当する。
　以上、（ａ）〜（ｈ）の対比より、本願補正発明と刊行物１発明とは、
「Ａ　所定の音を出力することが可能な音出力部と、遊技の状態に応じて前記音出力部から演出音を出力させる演出音出力手段と、を備えた遊技機において、
Ｂ　所定の操作部の操作に基づいて、前記音出力部から出力される前記演出音の音量値を所定の音量値に設定する音量値設定手段と、
Ｃ　所定の選択肢を所定の選択操作によって選択させる選択画像を所定の表示部に表示させる選択画像表示手段と、
Ｄ　報知を行うべき所定の事象が発生したことに基づいて、前記所定の事象が発生したことを所定期間に亘って報知する事象報知手段と、を備え、
Ｅ　前記所定の操作部は、第１操作部と、第２操作部とを含み、
Ｆ　前記第１操作部には、前記第２操作部の操作による前記音量値の設定が許容される第１状態と、前記第２操作部の操作による前記音量値の設定が規制される第２状態とがあり、
Ｇ’　前記選択画像表示手段は、前記第１操作部が前記第１状態になっているときは前記音量値の設定に関する音量の項目を前記所定の選択肢として含む第１選択画像を表示させることが可能であるが、前記事象報知手段による報知中は前記第１選択画像を表示させることが規制され、
Ｈ　前記音量値設定手段は、前記第１選択画像の表示中に前記音量の項目を選択する選択操作が行われたことに基づいて、前記音量値を設定可能となることを特徴とする遊技機。」
である点で一致し、以下の点で相違する。
（相違点）「選択画像表示手段」について、本願補正発明は、「前記第１操作部が前記第２状態になっているときは前記音量の項目が前記所定の選択肢とならない第２選択画像を表示させ」、また、「前記事象報知手段による報知中は」「第２選択画像を表示させることが規制され」ているのに対し、刊行物１発明には、そのような特定はされていない点。（構成Ｇ）
（４）判断
ア　上記相違点について検討する。
　選択画像を表示する表示装置の技術分野において、選択不可とされている項目を選択肢としない選択画像を表示することは、周知技術である（例えば、特開２００７−１７３８８７号公報の段落【００２０】、【００５４】、図６（ａ）、国際公開第２００９／０９３５１８号公報の段落［００６３］、［００６６］、図４、特開２００７−１８０７４９号公報の段落【００５４】、【００５５】、図５（Ａ）、特開２０１３−５９４２８号公報の段落【０１７８】、図４４参照。）。
　そして、刊行物１発明においては、「第１出力設定スイッチ１９０による設定が「４」、「３」であるとき」に、「第２出力設定スイッチ１９４の操作を受付けたことを条件に、音量調整と輝度調整の選択メニューを表示するメニュー画面を表示」する際の、「メニュー画面」の具体的な表示態様については特定されていないが、「第１出力設定スイッチ１９０による設定が「４」、「３」であるとき」には、「遊技者による音量調整が不可能である」から、その「メニュー画面」の具体的な表示態様として、遊技者による調整が不可能である音量調整の選択メニュー（選択が規制されている項目）を選択不可とすることは当業者にとって自明の課題である。また、刊行物１発明と上記周知技術とは、選択画像を表示する表示装置を有する点で共通するから、刊行物１発明において、上記の課題を解決するために上記周知技術を適用し、「第１出力設定スイッチ１９０による設定が「４」、「３」であるとき」に表示する「メニュー画面」として、「音量調整」の「選択メニュー」が選択肢とならない第２選択画像を表示させることは、当業者が容易になし得たことである。
　さらに、刊行物１発明は「エラーを検知した場合は設定画面（メニュー画面、音量調整画面、輝度調整画面）を非表示」とするものであるから、上記周知技術として示した選択不可とされている項目を選択肢としない選択画像、すなわち第２選択画像についても他の「設定画面」と同様に「非表示」として表示を規制させることは、当業者が当然なし得る事項にすぎない。
　したがって、刊行物１発明において上記周知技術を適用し、上記相違点に係る本願補正発明の構成となすことは、当業者が容易になし得たことである。
イ　請求人の主張について
　請求人は、審判請求書において、「本願発明では、第１操作部が第２操作部の操作による音量値の設定が許容される第１状態になっているときは、音量値の設定に関する音量の項目を選択肢として含む第１選択画像を表示可能であるが、第１操作部が第２操作部の操作による音量値の設定が規制される第２状態になっているときは、音量の項目が選択肢とならない第２選択画像を表示させるのに対し、引用文献１では、そのようになっていない点で相違します。 
　本願発明では、上記相違点を備えたことで、第２操作部の操作による音量値の設定が規制されているにも拘らず、遊技者に音量値の設定が可能であるとった勘違いさせるような不都合を回避することができ、遊技者に親切な選択画像の表示とすることが可能となります。 
・・・
　してみれば、引用文献１を参照しても、上記相違点のような構成を想起することは難しく、そのような構成を想起するための十分な動機付けにもならないと考えられます。」との主張をしている（第頁４第２９行〜第６頁第１行）。
　しかしながら、上記アで検討したとおり、選択画像を表示する表示装置の技術分野において、選択不可とされている項目を選択肢としない選択画像を表示することは、周知技術であり、刊行物１発明において上記周知技術を適用し、請求人の主張する上記相違点に係る本願補正発明の構成となすことは、当業者が容易になし得たことであるから、上記請求人の主張は採用できない。
ウ　本願補正発明が奏する効果について
　上記相違点によって本願補正発明が奏する効果は、当業者が刊行物１発明及び周知技術から予測し得る程度のものであって、格別のものではない。
（５）まとめ
　以上のように、本願補正発明は、当業者が刊行物１発明及び周知技術に基づいて容易に発明をすることができたものであるから、特許法第２９条第２項の規定により、特許出願の際独立して特許を受けることができない。
４ 補正却下の決定についてのむすび
　したがって、本件補正は、特許法第１７条の２第６項において準用する同法第１２６条第７項の規定に違反するので、同法第１５９条第１項において読み替えて準用する同法第５３条第１項の規定により却下すべきものである。
第３　本願発明について  
１　本願発明  
　本件補正は上記のとおり却下されたので、本願の各請求項に係る発明は、平成２８年４月１９日付け手続補正書により補正された特許請求の範囲に記載されたとおりのものであり、特に、請求項１に係る発明（以下「本願発明」という。）は次のとおりである。
「【請求項１】
　所定の音を出力することが可能な音出力部と、遊技の状態に応じて前記音出力部から演出音を出力させる演出音出力手段と、を備えた遊技機において、
　所定の操作部の操作に基づいて、前記音出力部から出力される前記演出音の音量値を所定の音量値に設定する音量値設定手段と、
　所定の選択肢を所定の選択操作によって選択させる選択画像を所定の表示部に表示させる選択画像表示手段と、
　報知を行うべき所定の事象が発生したことに基づいて、前記所定の事象が発生したことを所定期間に亘って報知する事象報知手段と、を備え、
　前記選択画像表示手段は、前記音量値の設定に関する音量の項目を前記所定の選択肢として含む前記選択画像を表示させることが可能であるが、前記事象報知手段による報知中は前記選択画像を表示させることが規制され、
　前記音量値設定手段は、前記選択画像の表示中に前記音量の項目を選択する選択操作が行われたことに基づいて、前記音量値を設定可能となることを特徴とする遊技機。」
２　刊行物
　刊行物１及びその記載事項、並びに刊行物１発明は、上記「第２　３（２）」に記載したとおりである。  
　
 ３　対比・判断  
　本願発明は、上記「第２　３（１）」で検討した本願補正発明から、「前記所定の操作部は、第１操作部と、第２操作部とを含み、」及び「前記第１操作部には、前記第２操作部の操作による前記音量値の設定が許容される第１状態と、前記第２操作部の操作による前記音量値の設定が規制される第２状態とがあり、」という事項を省き、また、上記「第２　３（１）」で検討した本願補正発明における、「前記選択画像表示手段は、前記第１操作部が前記第１状態になっているときは前記音量値の設定に関する音量の項目を前記所定の選択肢として含む第１選択画像を表示させることが可能であるが、前記第１操作部が前記第２状態になっているときは前記音量の項目が前記所定の選択肢とならない第２選択画像を表示させ、前記事象報知手段による報知中は前記第１選択画像及び前記第２選択画像を表示させることが規制され、」との事項から、「前記第１操作部が前記第１状態になっているとき」に表示させるのが「第１選択画像」であること、「前記第１操作部が前記第２状態になっているときは前記音量の項目が前記所定の選択肢とならない第２選択画像を表示させ」ること、及び、「前記事象報知手段による報知中」に「表示させることが規制され」るのが「前記第１選択画像及び前記第２選択画像」であることを省き、「前記選択画像表示手段は、前記音量値の設定に関する音量の項目を前記所定の選択肢として含む前記選択画像を表示させることが可能であるが、前記事象報知手段による報知中は前記選択画像を表示させることが規制され、」としたものである。
　そうすると、本願発明と刊行物１発明とを対比すると、上記「第２　３（３）」で検討した相違点を有さず、他に相違する点もないから、本願発明は刊行物１に記載された発明である。
４　むすび
　以上のとおりであるから、本願発明は、特許法第２９条第１項第３号の規定により特許を受けることができない。
　したがって、本願は、拒絶されるべきものである。
　よって、結論のとおり審決する。